【手続補正書】
【提出日】平成17年12月27日(2005.12.27)
【手続補正１】
【補正対象書類名】明細書
【補正対象項目名】特許請求の範囲
【補正方法】変更
【補正の内容】
【特許請求の範囲】
【特許請求の範囲】
【請求項１】
機械部品（２）の長さ寸法検査のためのヘッド（１）であって、
溝（１２）および長手方向の幾何学的な軸を規定するケーシング（３）を備えた支持構造材と、
少なくとも部分的に前記溝（１２）に収容されるアーム（２０）および
検査対象の前記機械部品（２）の表面に接触するために、前記アーム（２０）に連結されたフィーラ（２７）を備えた
前記支持構造材に対して移動可能であるアームセットと、
横断軸を中心にして前記支持構造材（３）に対して前記アーム（２０）の移動を可能にするために、前記アーム（２０）と前記支持構造材（３）との間に配置される支点（３０）と、
検査対象の前記機械部品（２）の前記表面に向かって前記フィーラ（２７）を付勢するために、前記アーム（２０）と前記支持構造材（３）との間に配置されるスラスト装置（６０）と、
前記支持構造材（３）に対して前記アーム（２０）の位置に応じた信号を供給するために、前記アーム（２０）および前記支持構造材（３）に連結される変換器（９０）と、を含むヘッド（１）。
【請求項２】
前記アームが前記支点（３０）に連結される中間部分（２４）を含み、前記移動可能なアームセットが、前記溝（１２）に収容され、前記アーム（２０）の前記中間部分に連結され、前記長手方向軸及び横断軸に平行である平面に実質的に配置される平坦に成形された要素（５５）をさらに含み、前記溝（１２）が前記平坦に形成された要素（５５）と協働するために実質的に封止され、粘稠液体を収容する請求項１に記載のヘッド。
【請求項３】
前記平坦に成形された要素（５５）が前記アーム（２０）の前記中間部分に取外し可能であるように連結される請求項２に記載のヘッド。
【請求項４】
前記ケーシング（３）が、実質的に多面形状を備え、前記溝（１２）へのアクセスのための開口部（１５）を含み、前記支持構造材も、前記アクセス用開口部（１５）を封止するために、前記ケーシングに連結されたカバー（１３０）を含む請求項２または３のいずれか１項に記載のヘッド。
【請求項５】
前記ケーシングが、前記溝（１２）に通じるスルーシート（９）を含み、前記スラスト装置が前記ケーシングの前記溝（１２）に収容されるばね（６０）および調整可能な方法で前記アーム（２０）および前記支持構造材（３）に前記ばね（６０）を連結するためのフッキングおよび調整装置（６１〜６４）を含み、前記フッキングおよび調整装置が、相反するようにに連結され、前記スルーシート（９）に収容されるフッキング要素（６２）およびねじ（６４）を含み、前記ねじが前記ケーシング（３）の外部からアクセス可能かつ調整可能である請求項１乃至４のいずれか１項に記載のヘッド。
【請求項６】
前記ばねが戻しばね（６０）である請求項５に記載のヘッド。
【請求項７】
前記変換器（９０）が誘導型であり、
第１のハウジング（１０１）および前記第１のハウジングに配置された環状シートを備えたスプール（９５）を備えた中空支持材（１００）と、
前記環状シートに収容され、前記ケーシング（３）に連結される巻線（９２）と、
・      強磁性材料から形成され、前記アーム（２０）に連結され、前記巻線（９２）の中で移動可能であるコア（９１）と、を含み、
前記第１のハウジング（１０１）が、前記第１のハウジング（１０１）の内部で前記スプール（９５）の前記位置を固定するための曲げ加工を施されたエンドリム（１０２）を規定し、前記ヘッドも前記変換器（９０）によって送信される前記信号の受信および処理を行うための処理装置（８１）および前記変換器（９０）の前記巻線に電気的に連結される端部と前記処理装置（８１）に電気的に連結される反対の端部を有するケーブル（１１０）を含む請求項１乃至６のいずれか１項に記載のヘッド。
【請求項８】
前記スプール（９５）が、略円錐台である端面を規定し、前記第１のハウジング（１０１）の前記エンドリム（１０２）が、スプール（９５）の前記位置を固定するために、前記略円錐台である端面と共に協働する請求項７に記載のヘッド。
【請求項９】
前記巻線（９２）が、前記スプール（９５）の前記環状シートに固定され、前記スプール（９５）が、実質的に接着剤を使用することなく、第１のハウジング（１０１）に固定される前記請求項７に記載のヘッド。
【請求項１０】
前記ケーシング（３）がスルーシート（１１）を含み、前記ケーシングの前記外部から実質的に継続する方法で調整可能な位置において、前記中空支持材（１００）が前記スルーシート（１１）に収容される請求項７に記載のヘッド。
【請求項１１】
前記変換器（９０）が多重巻線型である請求項７に記載のヘッド。
【請求項１２】
前記変換器（９０）が半ブリッジ型である請求項１１に記載のヘッド。
【請求項１３】
前記ケーブル（１１０）が前記中空支持材（１００）に連結される端部を備え、前記変換器（９０）が前記中空支持材（１００）およびケーブル（１１０）の前記端部を部分的に被覆するプラスチック材料から形成される保護材（１１７）を含み、前記保護材（１１７）がオーバモールディング処理によって実現される請求項７に記載のヘッド。
【請求項１４】
前記保護材（１１７）がポリウレタンから形成される請求項１３に記載のヘッド。
【請求項１５】
請求項７に記載の前記処理装置（８１）および前記ケーブル（１１０）およびケーブル（１１０）の対向する端部に連結された第１の要素（１４７；１４７’）および前記処理装置（８１）に電気的に接続された第２の要素（１４８；１４８’）を備えたコネクタ（１４６；１４６’）を含み、前記コネクタ（１４６；１４６’）が、前記コネクタ（１４６；１４６’）の前記第１の要素（１４７；１４７’）と前記第２の要素（１４８；１４８’）と協働するために形成された要素（１５９；１５９’）を備えた高速のロッキング／アンロッキング装置（１５７，１５８，１５９；１５７’，１５９’，１６８）を含む請求項１乃至１４のいずれか１項に記載のヘッド。
【請求項１６】
相反するロッキング／アンロッキングを実現するために、前記成形された要素（１５９；１５９’）がそれぞれ、一方は前記コネクタ（１４６；１４６’）の前記第１の要素（１４７；１４７’）に、他方は前記第２の要素（１４８；１４８’）に実質的に永久的な方法で連結され、弾性を有する方法で連結／非連結されることができる請求項１５に記載のヘッド。
【請求項１７】
前記第１の要素（１４７；１４７’）および前記第２の要素（１４８；１４８’）のそれぞれが実質的に円筒形の外面を含み、前記第１の要素（１４７；１４７’）および前記第２の要素（１４８；１４８’）の一方が前記関連する外面の直径に関して対向する位置に突出している１組のピン（１５８；１５８’）を含み、前記成形された要素（１５９；１５９’）が、前記１組のピン（１５８；１５８’）に実質的に永久的な方法で枢動可能であるように連結される２つのエンドスロット（１６０；１６０’）を含む請求項１６に記載のヘッド。
【請求項１８】
前記コネクタ（１４６；１４６’）の前記第１の要素（１４７；１４７’）および前記第２の要素（１４８；１４８’）を固定するために、前記第１の要素（１４７；１４７’）および前記第２の要素（１４８；１４８’）の他方が把持している面（１５７；１５７’）を規定し、前記成形された要素（１５９；１５９’）が、前記把持している面（１５７；１５７’）と共に協働しているフッキング部分（１６１；１６１’）を規定する請求項１７に記載のヘッド。
【請求項１９】
前記成形された要素（１５９）が実質的に弾性である請求項１８に記載のヘッド。
【請求項２０】
前記成形された要素（１５９’）が実質的に強固であり、前記高速のロッキング／アンロッキング装置が、前記コネクタ（１４６’）の前記第１の要素（１４７’）および前記第２の要素（１４８’）の少なくとも一方にある弾性要素（１６７）を含む請求項１８に記載のヘッド。
【請求項２１】
前記成形された要素（１５９’）が切断および曲げ加工を施されたシートから形成される請求項２０に記載のヘッド。
【請求項２２】
成形された要素（１５９’）が鋼板を利用することによって実現される請求項２１に記載のヘッド。
【請求項２３】
前記成形された要素（１５９；１５９’）が、前記コネクタ（１４６；１４６’）の前記第１の要素（１４７；１４７’）と前記第２の要素（１４８；１４８’）との間に相反するロッキング／アンロッキングを実現するために手動で作用するように適合される作動レバー（１６３；１６３’）を含む請求項１５乃至２２のいずれか１項に記載のヘッド。
【請求項２４】
前記コネクタ（１４６）が、前記第１の要素（１４７）および前記ケーブル（１１０）の前記対向する端部を部分的に被覆するプラスチック材料から形成される保護材（１６４）を含み、前記保護材（１６４）がオーバーモールディング処理によって実現される請求項１５乃至２２のいずれか１項に記載のヘッド。
【請求項２５】
前記移動可能なアームセットの前記アーム（２０）が先端部分（２１）を規定し、前記ヘッドが、前記アーム（２０）の前記先端部分（２１）に接触するための当接面（１７３）を備えた前記ケーシングに連結された調整装置（１７０；１７０’）および前記当接面（１７３）の位置を調整し、前記支点（３０）によって規定される前記横断軸を中心にして、前記アーム（２０）の回転移動を行うための作動要素（１７４）を含む請求項１項に記載のヘッド。
【請求項２６】
前記調整装置（１７０；１７０’）が、前記ケーシング（３）の前記外部に配置されるシリンダ（１７１）、前記当接面（１７３）を規定するための前記シリンダ（１７１）に収容される調整可能な位置決めピストン（１７２）および誘導装置（１７８，１７９）を含み、実質的に並進移動によって、前記当接面（１７３）の前記位置を調整するために、前記作動要素（１７４）および前記誘導装置（１７８，１７９）が前記シリンダ（１７１）および前記位置決めピストン（１７２）と協働する請求項２５に記載のヘッド。
【請求項２７】
前記シリンダ（１７１）が前記支持構造材（３）の前記長手方向の幾何学的な軸に略平行である調整軸を規定し、前記当接面（１７３）の前記位置が、前記調整軸に沿った移動によって調整される請求項２６に記載のヘッド。
【請求項２８】
前記当接面（１７３）が前記調整軸に対して傾斜している請求項２７に記載のヘッド。
【請求項２９】
前記アーム（２０）の前記先端部分（２１）に接触し、前記フィーラ（２７）を検査対象の前記部品（２）の前記表面にから離れるように付勢するために、前記当接面（１７３）が、前記調整軸に沿って並進するように適合される請求項２８に記載のヘッド。
【請求項３０】
前記アーム（２０）の前記先端部分（２１）に接触し、前記フィーラ（２７）を検査対象の前記部品（２）の前記表面に向かって付勢するために、前記当接面（１７３）が、前記調整軸に沿って並進するように適合される請求項２８に記載のヘッド。
【請求項３１】
前記当接面（１７３）の前記位置を調整するために、前記調整装置（１７０’）が前記作動要素（１７４）に連結される電動機（１８０）を含む請求項２５乃至３０のいずれか１項に記載のヘッド。
【請求項３２】
請求項７の前記処理装置（８１）を含み、前記変換器（９０）によって受信される前記信号に基づき、前記当接面（１７３）の前記位置を設定するために、前記電動機（１８０）が前記処理装置（８１）に電気的に接続され、前記処理装置（８１）が前記電動機（１８０）に作動信号を送信する請求項３１に記載のヘッド。
【請求項３３】
機械部品の長さ寸法検査用の装置であって、前記部品と協働するためのゲージングヘッド（１）、前記部品の前記寸法を表す電気信号を発生するための前記ゲージングヘッド（１）に少なくとも部分的に含まれる変換器（９０）、処理装置（８１）および前記ヘッド（１）と前記処理装置（８１）との間にある電気連結手段（１６６）を備え、前記電気連結手段は前記電気連結手段（１６６）用の集積要素を含み、前記集積要素（１６６）が前記変換器（９０）の少なくとも１つの部品（９２，１００）を含み、前記コネクタ（１４６；１４６’）の第１の要素（１４７；１４７’）およびケーブル（１１０）が各々、前記変換器（９０）の前記少なくとも１つの部品（９２，１００）および前記コネクタ（１４６；１４６’）の前記第１の要素（１４７；１４７’）に強固に連結される先端を備え、前記コネクタ（１４６；１４６’）が前記第１の要素（１４７；１４７’）および前記処理装置（８１）に電気的に接続される第２の要素（１４８）を含み、前記変換器（９０）の前記少なくとも１つの部品（９２，１００）が、外部から取外し可能な方法で前記ヘッド（１）に固定される装置。
【請求項３４】
前記変換器（９０）の前記少なくとも１つの部品（９２，１００）が、前記ヘッドの外部から、実質的に継続的な方法で互いの角度位置を調整することができる調整可能な連結（１０３，１０４）によって、前記ヘッド（１）に固定される請求項３３に記載の装置。
【請求項３５】
前記変換器（９０）が、誘導型であり、強磁性材料から形成されるコア（９１）、巻線（９２）および前記巻線のための支持材（１００）を含み、前記変換器（９０）の少なくとも１つの部品が前記巻線（９２）および前記関連する支持材（１００）を含む請求項３３または３４のいずれか１項に記載の装置。
【請求項３６】
前記電気連結（１６６）のための前記集積要素が、前記ケーブル（１００）の前記先端と前記変換器（９０）の前記少なくとも１つの部品（９２，１００）との間の保護材（１１７，６４）を各々含み、前記コネクタ（１４６；１４６’）の前記第１の要素（１４７；１４７’）および前記保護材（１１７，６４）の少なくとも１つがオーバモールディング処理によるプラスチック材料で形成される前記請求項３３乃至３５のいずれか１に記載の装置。
【請求項３７】
前記ケーブル（１１０）が鎧装を含み、前記鎧装および少なくとも１つの保護材（１１７，１６４）がポリウレタンで形成される請求項３６に記載の装置。